(57)【要約】【課題】無線端末装置についてより多様な通信サービスを提供することが可能なネットワーク接続装置、ネットワークシステム、ネットワーク接続方法およびネットワーク接続プログラムを提供する。【解決手段】ネットワーク接続装置１０１は、無線端末装置１５１との間で無線信号を送受信するための無線基地局部１２と、無線端末装置１５１から定期的に送信される、無線基地局部１２と通信可能であること、および無線端末装置１５１の識別情報を示す在圏通知を無線基地局部１２経由で取得するための在圏通知取得部２１と、在圏通知取得部２１によって在圏通知が定期的に取得されるか否かに基づいて、識別情報を有する無線端末装置１５１が無線基地局部１２を通信先として選択している状態であるか否かを判断するための離在圏判断部２２とを備える。【選択図】図４
2012114635.tif 000002
【特許請求の範囲】
【請求項１】
無線端末装置との間で無線信号を送受信するための無線基地局部と、
前記無線端末装置から定期的に送信される、前記無線基地局部と通信可能であること、および前記無線端末装置の識別情報を示す在圏通知を前記無線基地局部経由で取得するための在圏通知取得部と、
前記在圏通知取得部によって前記在圏通知が定期的に取得されるか否かに基づいて、前記識別情報を有する前記無線端末装置が前記無線基地局部を通信先として選択している状態であるか否かを判断するための離在圏判断部とを備える、ネットワーク接続装置。
【請求項２】
前記離在圏判断部は、前記識別情報を有する前記無線端末装置が前記無線基地局部を通信先として選択していると判断した状態において、前記識別情報を示す新たな前記在圏通知が所定時間取得されない場合に、前記識別情報を有する前記無線端末装置が前記無線基地局部を通信先として選択しなくなったと判断する、請求項１に記載のネットワーク接続装置。
【請求項３】
前記ネットワーク接続装置は、さらに、
無線端末装置に前記在圏通知を定期的に送信させるための送信要求を前記無線端末装置へ送信するための送信要求部を備える、請求項１または２に記載のネットワーク接続装置。
【請求項４】
前記在圏通知は、前記無線基地局部と通信中でない無線端末装置から定期的に送信される、請求項１から３のいずれか１項に記載のネットワーク接続装置。
【請求項５】
前記ネットワーク接続装置は、さらに、
前記離在圏判断部による判断結果を、無線端末装置の通信先アドレスを検索し、検索したアドレスを前記無線端末装置に通知するための管理装置へ送信するための離在圏情報送信部を備える、請求項１から４のいずれか１項に記載のネットワーク接続装置。
【請求項６】
前記管理装置はＳＩＰ（Session Initiation Protocol）サーバである、請求項５に記載のネットワーク接続装置。
【請求項７】
前記在圏通知取得部は、３ＧＰＰ（Third Generation Partnership Project）で規定されたＮＡＳ（Non-Access Stratum）層のＭＭ（Mobility Management）プロトコルまたはＧＭＭ（GPRS Packet Radio System Mobility Management）プロトコルの処理を実行することにより前記在圏通知を取得する、請求項１から６のいずれか１項に記載のネットワーク接続装置。
【請求項８】
前記在圏通知は、３ＧＰＰで規定されたＬｏｃａｔｉｏｎ  Ｕｐｄａｔｉｎｇ  ＲｅｑｕｅｓｔまたはＲｏｕｔｉｎｇ  Ａｒｅａ  Ｕｐｄａｔｉｎｇ  Ｒｅｑｕｅｓｔである、請求項７に記載のネットワーク接続装置。
【請求項９】
前記在圏通知は、３ＧＰＰで規定されたＬｏｃａｔｉｏｎ  Ｕｐｄａｔｉｎｇ  Ｒｅｑｕｅｓｔであり、かつ３ＧＰＰで規定されたＬｏｃａｔｉｏｎ  Ｕｐｄａｔｉｎｇ  Ｒｅｑｕｅｓｔの最小送信間隔で前記無線端末装置から送信される、請求項８に記載のネットワーク接続装置。
【請求項１０】
前記ネットワーク接続装置は、さらに、
３ＧＰＰで規定されたＶＬＲ（Visited Location Register）を有するＶＬＲ部を備え、
前記ＶＬＲには、前記在圏通知取得部によって取得された前記在圏通知に含まれる情報が少なくとも保存され、
前記在圏通知取得部および前記離在圏判断部は、前記ＶＬＲ部を介して互いに情報をやり取りする、請求項７から９のいずれか１項に記載のネットワーク接続装置。
【請求項１１】
無線端末装置の識別情報を登録し、登録された前記無線端末装置の通信先アドレスを検索し、検索したアドレスを前記無線端末装置に通知するための管理装置と、無線端末装置と無線信号を送受信するための無線基地局装置との間でデータを中継するためのネットワーク接続装置であって、
無線端末装置から定期的に送信される、無線基地局装置と通信可能であること、および前記無線端末装置の識別情報を示す在圏通知を前記無線基地局装置経由で取得するための在圏通知取得部と、
前記在圏通知取得部によって前記在圏通知が定期的に取得されるか否かに基づいて、前記識別情報を有する前記無線端末装置が前記無線基地局装置を通信先として選択している状態であるか否かを判断するための離在圏判断部とを備える、ネットワーク接続装置。
【請求項１２】
無線端末装置の識別情報を登録し、登録された前記無線端末装置の通信先アドレスを検索し、検索したアドレスを前記無線端末装置に通知するための管理装置と、
前記管理装置と、前記無線端末装置と無線信号を送受信するための無線基地局装置との間でデータを中継するためのネットワーク接続装置とを備え、
前記ネットワーク接続装置は、
無線端末装置から定期的に送信される、無線基地局装置と通信可能であること、および前記無線端末装置の識別情報を示す在圏通知を前記無線基地局装置経由で取得するための在圏通知取得部と、
前記在圏通知取得部によって前記在圏通知が定期的に取得されるか否かに基づいて、前記識別情報を有する前記無線端末装置が前記無線基地局装置を通信先として選択している状態であるか否かを判断するための離在圏判断部と、
前記離在圏判断部による判断結果を前記管理装置へ送信するための離在圏情報送信部とを含む、ネットワークシステム。
【請求項１３】
無線端末装置との間で無線信号を送受信するための無線基地局部を備えるネットワーク接続装置におけるネットワーク接続方法であって、
前記無線端末装置から定期的に送信される、前記無線基地局部と通信可能であること、および前記無線端末装置の識別情報を示す在圏通知を前記無線基地局部経由で取得するステップと、
前記在圏通知取得部によって前記在圏通知が定期的に取得されるか否かに基づいて、前記識別情報を有する前記無線端末装置が前記無線基地局部を通信先として選択している状態であるか否かを判断するステップとを含む、ネットワーク接続方法。
【請求項１４】
無線端末装置の識別情報を登録し、登録された前記無線端末装置の通信先アドレスを検索し、検索したアドレスを前記無線端末装置に通知するための管理装置と、無線端末装置と無線信号を送受信するための無線基地局装置との間でデータを中継するためのネットワーク接続装置におけるネットワーク接続方法であって、
無線端末装置から定期的に送信される、無線基地局装置と通信可能であること、および前記無線端末装置の識別情報を示す在圏通知を前記無線基地局装置経由で取得するステップと、
前記在圏通知取得部によって前記在圏通知が定期的に取得されるか否かに基づいて、前記識別情報を有する前記無線端末装置が前記無線基地局装置を通信先として選択している状態であるか否かを判断するステップとを含む、ネットワーク接続方法。
【請求項１５】
無線端末装置との間で無線信号を送受信するための無線基地局部を備えるネットワーク接続装置におけるネットワーク接続プログラムであって、コンピュータに、
前記無線端末装置から定期的に送信される、前記無線基地局部と通信可能であること、および前記無線端末装置の識別情報を示す在圏通知を前記無線基地局部経由で取得するステップと、
前記在圏通知取得部によって前記在圏通知が定期的に取得されるか否かに基づいて、前記識別情報を有する前記無線端末装置が前記無線基地局部を通信先として選択している状態であるか否かを判断するステップとを実行させる、ネットワーク接続プログラム。
【請求項１６】
無線端末装置の識別情報を登録し、登録された前記無線端末装置の通信先アドレスを検索し、検索したアドレスを前記無線端末装置に通知するための管理装置と、無線端末装置と無線信号を送受信するための無線基地局装置との間でデータを中継するためのネットワーク接続装置におけるネットワーク接続プログラムであって、コンピュータに、
無線端末装置から定期的に送信される、無線基地局装置と通信可能であること、および前記無線端末装置の識別情報を示す在圏通知を前記無線基地局装置経由で取得するステップと、
前記在圏通知取得部によって前記在圏通知が定期的に取得されるか否かに基づいて、前記識別情報を有する前記無線端末装置が前記無線基地局装置を通信先として選択している状態であるか否かを判断するステップとを実行させる、ネットワーク接続プログラム。
【発明の詳細な説明】
【技術分野】
【０００１】
本発明は、ネットワーク接続装置、ネットワークシステム、ネットワーク接続方法およびネットワーク接続プログラムに関し、特に、無線端末装置の離在圏を検出するネットワーク接続装置、ネットワークシステム、ネットワーク接続方法およびネットワーク接続プログラムに関する。
【背景技術】
【０００２】
ＩＰ（Internet Protocol）パケットのルーティングおよびプロトコル変換等の機能を有し、宅内の内部ネットワークとインターネット等の外部ネットワークとを相互に接続するためのホームゲートウェイが開発されている。
【０００３】
また、従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００４】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００５】
これらの要望と併せて、無線基地局装置で使用される種々のデバイスの処理能力が飛躍的に向上したことによって無線基地局装置の小型化が進み、このような小型化された基地局が注目を集めている。
【０００６】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な宅内および地下街等の場所で使用されることが考えられる。
【０００７】
このようなフェムト基地局が宅内に設置された場合、フェムトセルに存在し、フェムト基地局と通信する無線端末装置は、たとえば、フェムト基地局およびホームゲートウェイ経由で外部ネットワークとの間でＩＰパケットを送受信する。
【０００８】
ここで、非特許文献１（村勢 徹郎、“第8回 アクセス回線とホーム・ゲートウエイ（後編）”、［online］、平成19年8月9日、日経コミュニケーション、［平成22年8月20日検索］、インターネット〈URL：http://itpro.nikkeibp.co.jp/article/COLUMN/20070801/278867/〉）には、ホームゲートウェイがＶＯＩＰ（Voice Over IP）機能を有し、当該ホームゲートウェイにアナログの電話機を接続してＩＰ電話機能を提供する技術が開示されている。
【先行技術文献】
【非特許文献】
【０００９】
【非特許文献１】村勢 徹郎、“第8回 アクセス回線とホーム・ゲートウエイ（後編）”、［online］、平成19年8月9日、日経コミュニケーション、［平成22年8月20日検索］、インターネット〈URL：http://itpro.nikkeibp.co.jp/article/COLUMN/20070801/278867/〉
【発明の概要】
【発明が解決しようとする課題】
【００１０】
非特許文献１に記載のホームゲートウェイは、たとえばＮＧＮ（Next Generation Network）網に設けられたＳＩＰ（Session Initiation Protocol）サーバと通信することにより、ＩＰ電話等の通信サービスを宅内の端末装置に提供することが可能である。
【００１１】
しかしながら、携帯電話等の無線端末装置は、通常、移動通信事業者網における管理装置において登録処理等が行われる。このため、無線端末装置が通話を行なう場合、通常、ホームゲートウェイと移動通信事業者網との間で音声データを含むＩＰパケットが送受信される。
【００１２】
このため、携帯電話等の無線端末装置に対しては、移動通信事業者網以外のネットワークに設けられたＳＩＰサーバを用いてＩＰ電話等の通信サービスを提供することが困難であった。
【００１３】
しかしながら、非特許文献１には、このような問題を解決するための構成は開示されていない。
【００１４】
この発明は、上述の課題を解決するためになされたもので、その目的は、無線端末装置についてより多様な通信サービスを提供することが可能なネットワーク接続装置、ネットワークシステム、ネットワーク接続方法およびネットワーク接続プログラムを提供することである。
【課題を解決するための手段】
【００１５】
上記課題を解決するために、この発明のある局面に係わるネットワーク接続装置は、無線端末装置との間で無線信号を送受信するための無線基地局部と、上記無線端末装置から定期的に送信される、上記無線基地局部と通信可能であること、および上記無線端末装置の識別情報を示す在圏通知を上記無線基地局部経由で取得するための在圏通知取得部と、上記在圏通知取得部によって上記在圏通知が定期的に取得されるか否かに基づいて、上記識別情報を有する上記無線端末装置が上記無線基地局部を通信先として選択している状態であるか否かを判断するための離在圏判断部とを備える。
【００１６】
このような構成により、移動先セルから移動通信事業者網等の上位ネットワーク経由で離圏通知を取得することなく、無線端末装置のセルからの離圏を当該セル側単独で検出することができる。すなわち、無線端末装置の移動先セルの状況および上位ネットワーク側の機能実装状況に依存せず、セル側単独で離在圏サービスを提供することができる。したがって、無線端末装置についてより多様な通信サービスを提供することができる。
【００１７】
好ましくは、上記離在圏判断部は、上記識別情報を有する上記無線端末装置が上記無線基地局部を通信先として選択していると判断した状態において、上記識別情報を示す新たな上記在圏通知が所定時間取得されない場合に、上記識別情報を有する上記無線端末装置が上記無線基地局部を通信先として選択しなくなったと判断する。
【００１８】
このような構成により、自己が対応するセルに在圏していた無線端末装置の離圏を適切に検出することができる。
【００１９】
好ましくは、上記ネットワーク接続装置は、さらに、無線端末装置に上記在圏通知を定期的に送信させるための送信要求を上記無線端末装置へ送信するための送信要求部を備える。
【００２０】
このような構成により、無線端末装置の離在圏を判断するための定期的な在圏通知の送信を無線端末装置に促すことができる。
【００２１】
好ましくは、上記在圏通知は、上記無線基地局部と通信中でない無線端末装置から定期的に送信される。
【００２２】
このように、アイドル状態の無線端末装置から定期的に送信される在圏通知を取得する構成により、アイドル状態の無線端末装置が在圏しているか否かを判断することができる。
【００２３】
好ましくは、上記ネットワーク接続装置は、さらに、上記離在圏判断部による判断結果を、無線端末装置の通信先アドレスを検索し、検索したアドレスを上記無線端末装置に通知するための管理装置へ送信するための離在圏情報送信部を備える。
【００２４】
このような構成により、セルへ在圏したり、セルから離圏したりする無線端末装置の登録処理を管理装置において適切に行なうことが可能となる。
【００２５】
より好ましくは、上記管理装置はＳＩＰ（Session Initiation Protocol）サーバである。
【００２６】
このような構成により、ＳＩＰサーバを用いてＩＰ電話等の通信サービスを無線端末装置に提供することが可能となる。
【００２７】
好ましくは、上記在圏通知取得部は、３ＧＰＰ（Third Generation Partnership Project）で規定されたＮＡＳ（Non-Access Stratum）層のＭＭ（Mobility Management）プロトコルまたはＧＭＭ（GPRS Packet Radio System Mobility Management）プロトコルの処理を実行することにより上記在圏通知を取得する。
【００２８】
このような構成により、３ＧＰＰ仕様を採用するネットワークシステムにおいて、ネットワーク接続装置単体で離在圏サービスを提供することが可能となる。
【００２９】
より好ましくは、上記在圏通知は、３ＧＰＰで規定されたＬｏｃａｔｉｏｎ  Ｕｐｄａｔｉｎｇ  ＲｅｑｕｅｓｔまたはＲｏｕｔｉｎｇ  Ａｒｅａ  Ｕｐｄａｔｉｎｇ  Ｒｅｑｕｅｓｔである。
【００３０】
このように、３ＧＰＰ仕様に従ったメッセージを利用する構成により、ネットワーク接続装置単体の離在圏サービスを容易に提供することができる。
【００３１】
より好ましくは、上記在圏通知は、３ＧＰＰで規定されたＬｏｃａｔｉｏｎ  Ｕｐｄａｔｉｎｇ  Ｒｅｑｕｅｓｔであり、かつ３ＧＰＰで規定されたＬｏｃａｔｉｏｎ  Ｕｐｄａｔｉｎｇ  Ｒｅｑｕｅｓｔの最小送信間隔で上記無線端末装置から送信される。
【００３２】
このように、３ＧＰＰで規定された最小間隔で在圏通知を送信する構成により、３ＧＰＰ仕様に従った範囲で最良の離在圏サービスを提供することが可能となる。
【００３３】
より好ましくは、上記ネットワーク接続装置は、さらに、３ＧＰＰで規定されたＶＬＲ（Visited Location Register）を有するＶＬＲ部を備え、上記ＶＬＲには、上記在圏通知取得部によって取得された上記在圏通知に含まれる情報が少なくとも保存され、上記在圏通知取得部および上記離在圏判断部は、上記ＶＬＲ部を介して互いに情報をやり取りする。
【００３４】
このような構成により、３ＧＰＰで規定されたＶＬＲを用いた無線端末装置の管理が可能となる。
【００３５】
またこの発明の別の局面に係わるネットワーク接続装置は、無線端末装置の識別情報を登録し、登録された上記無線端末装置の通信先アドレスを検索し、検索したアドレスを上記無線端末装置に通知するための管理装置と、無線端末装置と無線信号を送受信するための無線基地局装置との間でデータを中継するためのネットワーク接続装置であって、無線端末装置から定期的に送信される、無線基地局装置と通信可能であること、および上記無線端末装置の識別情報を示す在圏通知を上記無線基地局装置経由で取得するための在圏通知取得部と、上記在圏通知取得部によって上記在圏通知が定期的に取得されるか否かに基づいて、上記識別情報を有する上記無線端末装置が上記無線基地局装置を通信先として選択している状態であるか否かを判断するための離在圏判断部とを備える。
【００３６】
このような構成により、移動先セルから移動通信事業者網等の上位ネットワーク経由で離圏通知を取得することなく、無線端末装置のセルからの離圏を当該セル側単独で検出することができる。すなわち、無線端末装置の移動先セルの状況および上位ネットワーク側の機能実装状況に依存せず、セル側単独で離在圏サービスを提供することができる。したがって、無線端末装置についてより多様な通信サービスを提供することができる。
【００３７】
上記課題を解決するために、この発明のある局面に係わるネットワークシステムは、無線端末装置の識別情報を登録し、登録された上記無線端末装置の通信先アドレスを検索し、検索したアドレスを上記無線端末装置に通知するための管理装置と、上記管理装置と、上記無線端末装置と無線信号を送受信するための無線基地局装置との間でデータを中継するためのネットワーク接続装置とを備え、上記ネットワーク接続装置は、無線端末装置から定期的に送信される、無線基地局装置と通信可能であること、および上記無線端末装置の識別情報を示す在圏通知を上記無線基地局装置経由で取得するための在圏通知取得部と、上記在圏通知取得部によって上記在圏通知が定期的に取得されるか否かに基づいて、上記識別情報を有する上記無線端末装置が上記無線基地局装置を通信先として選択している状態であるか否かを判断するための離在圏判断部と、上記離在圏判断部による判断結果を上記管理装置へ送信するための離在圏情報送信部とを含む。
【００３８】
このような構成により、移動先セルから移動通信事業者網等の上位ネットワーク経由で離圏通知を取得することなく、無線端末装置のセルからの離圏を当該セル側単独で検出することができる。すなわち、無線端末装置の移動先セルの状況および上位ネットワーク側の機能実装状況に依存せず、セル側単独で離在圏サービスを提供することができる。したがって、無線端末装置についてより多様な通信サービスを提供することができる。
【００３９】
上記課題を解決するために、この発明のある局面に係わるネットワーク接続方法は、無線端末装置との間で無線信号を送受信するための無線基地局部を備えるネットワーク接続装置におけるネットワーク接続方法であって、上記無線端末装置から定期的に送信される、上記無線基地局部と通信可能であること、および上記無線端末装置の識別情報を示す在圏通知を上記無線基地局部経由で取得するステップと、上記在圏通知取得部によって上記在圏通知が定期的に取得されるか否かに基づいて、上記識別情報を有する上記無線端末装置が上記無線基地局部を通信先として選択している状態であるか否かを判断するステップとを含む。
【００４０】
このような構成により、移動先セルから移動通信事業者網等の上位ネットワーク経由で離圏通知を取得することなく、無線端末装置のセルからの離圏を当該セル側単独で検出することができる。すなわち、無線端末装置の移動先セルの状況および上位ネットワーク側の機能実装状況に依存せず、セル側単独で離在圏サービスを提供することができる。したがって、無線端末装置についてより多様な通信サービスを提供することができる。
【００４１】
またこの発明の別の局面に係わるネットワーク接続方法は、無線端末装置の識別情報を登録し、登録された上記無線端末装置の通信先アドレスを検索し、検索したアドレスを上記無線端末装置に通知するための管理装置と、無線端末装置と無線信号を送受信するための無線基地局装置との間でデータを中継するためのネットワーク接続装置におけるネットワーク接続方法であって、無線端末装置から定期的に送信される、無線基地局装置と通信可能であること、および上記無線端末装置の識別情報を示す在圏通知を上記無線基地局装置経由で取得するステップと、上記在圏通知取得部によって上記在圏通知が定期的に取得されるか否かに基づいて、上記識別情報を有する上記無線端末装置が上記無線基地局装置を通信先として選択している状態であるか否かを判断するステップとを含む。
【００４２】
このような構成により、移動先セルから移動通信事業者網等の上位ネットワーク経由で離圏通知を取得することなく、無線端末装置のセルからの離圏を当該セル側単独で検出することができる。すなわち、無線端末装置の移動先セルの状況および上位ネットワーク側の機能実装状況に依存せず、セル側単独で離在圏サービスを提供することができる。したがって、無線端末装置についてより多様な通信サービスを提供することができる。
【００４３】
上記課題を解決するために、この発明のある局面に係わるネットワーク接続プログラムは、無線端末装置との間で無線信号を送受信するための無線基地局部を備えるネットワーク接続装置におけるネットワーク接続プログラムであって、コンピュータに、上記無線端末装置から定期的に送信される、上記無線基地局部と通信可能であること、および上記無線端末装置の識別情報を示す在圏通知を上記無線基地局部経由で取得するステップと、上記在圏通知取得部によって上記在圏通知が定期的に取得されるか否かに基づいて、上記識別情報を有する上記無線端末装置が上記無線基地局部を通信先として選択している状態であるか否かを判断するステップとを実行させる。
【００４４】
このような構成により、移動先セルから移動通信事業者網等の上位ネットワーク経由で離圏通知を取得することなく、無線端末装置のセルからの離圏を当該セル側単独で検出することができる。すなわち、無線端末装置の移動先セルの状況および上位ネットワーク側の機能実装状況に依存せず、セル側単独で離在圏サービスを提供することができる。したがって、無線端末装置についてより多様な通信サービスを提供することができる。
【００４５】
またこの発明の別の局面に係わるネットワーク接続プログラムは、無線端末装置の識別情報を登録し、登録された上記無線端末装置の通信先アドレスを検索し、検索したアドレスを上記無線端末装置に通知するための管理装置と、無線端末装置と無線信号を送受信するための無線基地局装置との間でデータを中継するためのネットワーク接続装置におけるネットワーク接続プログラムであって、コンピュータに、無線端末装置から定期的に送信される、無線基地局装置と通信可能であること、および上記無線端末装置の識別情報を示す在圏通知を上記無線基地局装置経由で取得するステップと、上記在圏通知取得部によって上記在圏通知が定期的に取得されるか否かに基づいて、上記識別情報を有する上記無線端末装置が上記無線基地局装置を通信先として選択している状態であるか否かを判断するステップとを実行させる。
【００４６】
このような構成により、移動先セルから移動通信事業者網等の上位ネットワーク経由で離圏通知を取得することなく、無線端末装置のセルからの離圏を当該セル側単独で検出することができる。すなわち、無線端末装置の移動先セルの状況および上位ネットワーク側の機能実装状況に依存せず、セル側単独で離在圏サービスを提供することができる。したがって、無線端末装置についてより多様な通信サービスを提供することができる。
【発明の効果】
【００４７】
本発明によれば、無線端末装置についてより多様な通信サービスを提供することができる。
【図面の簡単な説明】
【００４８】
【図１】本発明の第１の実施の形態に係るネットワークシステムの構成を示す図である。
【図２】本発明の第１の実施の形態に係るネットワーク接続装置の構成を示す図である。
【図３】本発明の第１の実施の形態に係るネットワーク接続装置における無線インタフェース部１２の構成を示す図である。
【図４】本発明の第１の実施の形態に係るネットワーク接続装置におけるネットワーク制御部の構成を示す図である。
【図５】本発明の第１の実施の形態に係るネットワーク接続装置の通信プロトコル構成の一例を示す図である。
【図６】本発明の第１の実施の形態に係るネットワーク接続装置における位置登録手順を示す図である。
【図７】本発明の第１の実施の形態に係るネットワーク接続装置におけるＣＳ呼用の位置登録要求の送信周期の一例を示す図である。
【図８】本発明の第１の実施の形態に係るネットワーク接続装置におけるＰＳ呼用の位置登録要求の周期通知の一例を示す図である。
【図９】本発明の第１の実施の形態に係るネットワークシステムにおける離在圏検出のメッセージの流れを詳細に示す図である。
【図１０】本発明の第１の実施の形態に係るネットワーク接続装置が離在圏検出を行なう際の動作手順を定めたフローチャートである。
【図１１】本発明の第２の実施の形態に係るネットワーク接続装置の通信プロトコル構成の一例を示す図である。
【図１２】本発明の第２の実施の形態に係るネットワークシステムにおける離在圏検出のメッセージの流れを詳細に示す図である。
【発明を実施するための形態】
【００４９】
以下、本発明の実施の形態について図面を用いて説明する。なお、図中同一または相当部分には同一符号を付してその説明は繰り返さない。
【００５０】
＜第１の実施の形態＞
［構成および基本動作］
図１は、本発明の第１の実施の形態に係るネットワークシステムの構成を示す図である。
【００５１】
図１を参照して、ネットワークシステム４０１は、ネットワーク接続装置１０１と、ＳＩＰサーバ（管理装置）３０１と、サーバ３０２とを備える。
【００５２】
ＳＩＰサーバ３０１は、たとえばＮＧＮ網である固定網２０３に設置されている。サーバ３０２は、パケット交換（Packet Switching）呼を処理するＰＳ網および回線交換（Circuit Switching）呼を処理するＣＳ網を含む移動通信事業者網２０２に設置されている。移動通信事業者網２０２は、固定網２０３に接続されている。
【００５３】
ＳＩＰサーバ３０１は、装置の登録および非登録を判断し、登録された装置の通信先のＩＰアドレスを検索して当該装置に通知する等の機能を有する。ＳＩＰサーバ３０１は、たとえばネットワーク接続装置１０１等のＩＰアドレスを識別情報として登録する。また、ＳＩＰサーバ３０１は、たとえば、通信元装置から通信先装置への呼び出し等の処理を行なう一方で、両装置間で音声パケット等を送受信するための仮想的な通信経路の確立処理までは行なわない。
【００５４】
ネットワーク接続装置１０１は、ＩＰパケットのルーティングおよびプロトコル変換等の機能を有し、宅内の内部ネットワーク２０４と固定網２０３とを相互に接続し、また、宅内の内部ネットワーク２０４と移動通信事業者網２０２とを固定網２０３経由で相互に接続する。具体的には、ネットワーク接続装置１０１は、ＳＩＰサーバ３０１と無線端末装置１５１との間でデータを中継する。また、ネットワーク接続装置１０１は、サーバ３０２との間でＶＰＮ（Virtual Private Network）を形成することにより、ＩＰパケットの送受信を行なう。
【００５５】
また、内部ネットワーク２０４にはたとえば無線端末装置１５１、パーソナルコンピュータ１５２およびセットトップボックス１５３が存在している。
【００５６】
ネットワーク接続装置１０１は、パーソナルコンピュータ１５２およびセットトップボックス１５３とたとえばＬＡＮケーブルを介して接続されており、相互にＩＰパケットの送受信を行なう。
【００５７】
また、ネットワーク接続装置１０１は、たとえば通常のホームゲートウェイ機能に加えてフェムト基地局の機能を備えており、無線端末装置１５１との間で無線信号を送受信する。たとえば、ネットワーク接続装置１０１および無線端末装置１５１は、３ＧＰＰ（Third Generation Partnership Project）で規格化されたＷ−ＣＤＭＡ（Wide Band Code Division Multiple Access）またはＬＴＥ（Long Term Evolution）に従う移動体通信を行なう。
【００５８】
ここで、フェムト基地局は、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００５９】
本発明の第１の実施の形態に係るネットワークシステムにおいても、このような３ＧＰＰの定義を適用してもよい。
【００６０】
また、上記定義と合わせて、あるいは別個に、以下のような定義を適用することも可能である。
【００６１】
マクロ基地局は、事業者の管理下にあり、事業者と契約している無線基地局装置が通信可能な無線基地局装置である。また、マクロ基地局は、基本的に電源がオフになることはないと考えられる。
【００６２】
また、フェムト基地局は、主に個人または法人の建物内に設置され、ユーザの事情により電源がオフとなる可能性がある無線基地局装置である。
【００６３】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドアクセスモードで動作する場合には、登録済みのメンバー、および未登録のメンバーすなわちノンメンバーの両方にサービスを提供する。また、オープンアクセスモードで動作する場合には、マクロ基地局と同じ動作をする。
【００６４】
図２は、本発明の第１の実施の形態に係るネットワーク接続装置の構成を示す図である。
【００６５】
図２を参照して、ネットワーク接続装置１０１は、ネットワーク制御部１１と、無線インタフェース部（無線基地局部）１２と、有線インタフェース部１３とを備える。ネットワーク制御部１１は、ＣＰＵ（Central Processing Unit）またはＤＳＰ（Digital Signal Processor）等によって実現される。
【００６６】
無線インタフェース部１２は、内部ネットワーク２０４における無線端末装置１５１との間で通信を行なう。より詳細には、無線インタフェース部１２は、無線端末装置１５１からたとえばＩＰパケットを含む無線信号を受信し、受信した無線信号を通信データに変換してネットワーク制御部１１へ出力する。また、無線インタフェース部１２は、ネットワーク制御部１１から受けた通信データをたとえばＩＰパケットを含む無線信号に変換して無線端末装置１５１へ出力する。
【００６７】
有線インタフェース部１３は、内部ネットワーク２０４における有線端末装置１５２，１５３との間で通信を行なう。より詳細には、有線インタフェース部１３は、有線端末装置１５２，１５３からＩＰパケット等の通信データを受信してネットワーク制御部１１へ出力する。また、無線インタフェース部１２は、ネットワーク制御部１１から受けたＩＰパケット等の通信データを有線端末装置１５２，１５３へ出力する。
【００６８】
ネットワーク制御部１１は、種々の通信プロトコル処理を行なうことにより、無線インタフェース部１２、有線インタフェース部１３および固定網２０３間の通信データの中継処理を行なう。すなわち、ネットワーク制御部１１は、無線インタフェース部１２から受けた通信データを固定網２０３または有線インタフェース部１３へ出力する。また、ネットワーク制御部１１は、無線インタフェース部１２から受けた通信データを固定網２０３または有線インタフェース部１３へ出力する。また、ネットワーク制御部１１は、固定網２０３からＩＰパケット等の通信データを受信して無線インタフェース部１２または有線インタフェース部１３へ出力する。
【００６９】
図３は、本発明の第１の実施の形態に係るネットワーク接続装置における無線インタフェース部１２の構成を示す図である。
【００７０】
図３を参照して、無線インタフェース部１２は、フェムト基地局としての機能を有しており、アンテナ９１と、サーキュレータ９２と、無線受信部９３と、無線送信部９４と、信号処理部９５とを備える。信号処理部９５は、受信信号処理部９６と、送信信号処理部９７とを含む。信号処理部９５は、ＣＰＵまたはＤＳＰ等によって実現される。
【００７１】
サーキュレータ９２は、アンテナ９１において受信された無線端末装置１５１からの無線信号を無線受信部９３へ出力し、また、無線送信部９４から受けた無線信号をアンテナ９１へ出力する。
【００７２】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【００７３】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してネットワーク制御部１１へ出力する。
【００７４】
送信信号処理部９７は、ネットワーク制御部１１から受けた通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【００７５】
無線送信部９４は、送信信号処理部９７から受けたデジタル信号をアナログ信号に変換し、変換したアナログ信号を無線信号に周波数変換してサーキュレータ９２へ出力する。
【００７６】
図４は、本発明の第１の実施の形態に係るネットワーク接続装置におけるネットワーク制御部の構成を示す図である。
【００７７】
図４を参照して、ネットワーク制御部１１は、在圏通知取得部２１と、離在圏判断部２２と、離在圏情報送信部２３とを含む。
【００７８】
在圏通知取得部２１は、無線端末装置１５１から定期的に送信される、無線インタフェース部１２と通信可能であること、および無線端末装置１５１の識別情報を示す在圏通知を無線インタフェース部１２経由で取得する。
【００７９】
離在圏判断部２２は、在圏通知取得部２１によって在圏通知が定期的に取得されるか否かに基づいて、上記識別情報を有する無線端末装置１５１が無線インタフェース部１２を通信先として選択している状態であるか否かを判断する。より詳細には、離在圏判断部２２は、上記識別情報を有する無線端末装置１５１が無線インタフェース部１２を通信先として選択していると判断した状態において、上記識別情報を示す新たな在圏通知が所定時間取得されない場合に、上記識別情報を有する無線端末装置１５１が無線インタフェース部１２を通信先として選択しなくなったと判断する。
【００８０】
離在圏情報送信部２３は、無線インタフェース部１２を通信先として選択していると離在圏判断部２２によって判断された無線端末装置１５１の識別情報等、離在圏判断部２２による判断結果をＳＩＰサーバ３０１へ送信する。
【００８１】
送信要求部２４は、無線端末装置１５１に在圏通知を定期的に送信させるための送信要求を当該無線端末装置１５１へ送信する。
【００８２】
また、在圏通知は、たとえば、ネットワーク接続装置１０１における無線インタフェース部１２と通信中でない無線端末装置１５１すなわち通話およびデータ通信を行なっていない状態の無線端末装置１５１から定期的に送信される。
【００８３】
図５は、本発明の第１の実施の形態に係るネットワーク接続装置の通信プロトコル構成の一例を示す図である。
【００８４】
図５を参照して、ネットワーク接続装置１０１は、ＰＨＹ（Physical Layer）層処理部３１と、ＭＡＣ（Medium Access Control）層処理部３２と、ＲＬＣ（Radio Link Control）層処理部３３と、ＲＲＣ（Radio Resource Control）層処理部３４と、ＰＤＣＰ（Packet Data Convergence Protocol）層処理部３５と、ＮＡＳ（Non-Access Stratum）層処理部５１と、Ｂ２ＢＵＡ（Back-to-back User Agent）部５２とを備える。ＮＡＳ層処理部５１は、ＭＭ（Mobility Management）処理部３６と、ＧＭＭ（GPRS Packet Radio System Mobility Management）処理部３７と、ＣＣ（Call Control）処理部３８と、ＳＭ（Session Management）処理部３９とを含む。Ｂ２ＢＵＡ部５２は、レジスタサーバ部４０と、ＳＩＰ呼制御部４１と、ＳＩＰスタック部４２とを含む。
【００８５】
図５において、たとえば、ＰＨＹ層処理部３１は図２に示す無線インタフェース部１２に含まれ、ＰＨＹ層処理部３１以外のユニットは図２に示すネットワーク制御部１１に含まれる。より詳細には、ＭＭ処理部３６は図４に示す在圏通知取得部２１および送信要求部２４に対応し、レジスタサーバ部４０は図４に示す離在圏判断部２２および離在圏情報送信部２３に対応する。
【００８６】
ＰＨＹ層処理部３１、ＭＡＣ層処理部３２、ＲＬＣ層処理部３３、ＲＲＣ層処理部３４、ＰＤＣＰ層処理部３５およびＮＡＳ層処理部５１は、３ＧＰＰで規定されたＰＨＹ層、ＭＡＣ層、ＲＬＣ層、ＲＲＣ層、ＰＤＣＰ層およびＮＡＳ層におけるプロトコル処理をそれぞれ実行する。
【００８７】
ＮＡＳ層処理部５１において、ＭＭ処理部３６、ＧＭＭ処理部３７、ＣＣ処理部３８およびＳＭ処理部３９は、ＮＡＳ層におけるＭＭ、ＧＭＭ、ＣＣおよびＳＭの処理をそれぞれ実行する。
【００８８】
Ｂ２ＢＵＡ部５２において、レジスタサーバ部４０は、各種端末装置の登録状態を管理する。より詳細には、レジスタサーバ部４０は、ＳＩＰサーバ３０１との間で各種端末装置の登録に関する通信データを送受信する。
【００８９】
ＳＩＰスタック部４２は、レジスタサーバ部４０から受けた通信データをＳＩＰサーバ３０１用のフレームフォーマットに変換してＳＩＰサーバ３０１へ送信する。また、ＳＩＰスタック部４２は、ＳＩＰサーバ３０１から受けた通信データをレジスタサーバ部４０用のフレームフォーマットに変換してレジスタサーバ部４０へ送信する。
【００９０】
ＳＩＰ呼制御部４１は、各種端末装置の通話を制御する。
【００９１】
［動作］
次に、本発明の第１の実施の形態に係るネットワーク接続装置が離在圏検出を行なう際の動作について説明する。
【００９２】
以下に示すシーケンスおよびフローチャートにおいて、ネットワーク接続装置１０１は、シーケンスおよびフローチャートの各ステップを含むプログラムを図示しないメモリから読み出して実行する。このプログラムは、外部からインストールすることができる。
【００９３】
Ｗ−ＣＤＭＡなどの移動通信システムにおいて、無線端末装置１５１の所在を確認するためには、無線端末装置１５１から移動通信事業者網２０２へ何らかの通知が必要となる。
【００９４】
この通知の一例として、３ＧＰＰでは、位置登録（Location Updating Procedure, Routing Area Updating Procedure）およびアタッチ（IMSI Attach Procedure, GPRS Attach Procedure）に関する手順が規定されている。
【００９５】
無線端末装置１５１がセルに在圏した場合にこれらの手順を動作させることで、移動通信事業者網２０２へ無線端末装置１５１の所在が通知される。すなわち、無線端末装置１５１がフェムト基地局すなわち無線インタフェース部１２と通信可能であること、および無線端末装置１５１の識別情報を示す在圏通知が移動通信事業者網２０２へ送信される。
【００９６】
また、３ＧＰＰでは、位置登録については周期的に実行する手順も規定されており、無線端末装置１５１から一定間隔で位置登録の通知を受け取ることも可能となっている。ただし、通常、当該手順はＮＡＳ層におけるＭＭおよびＧＭＭの手順として規定されているため、フェムト基地局ではなく、移動通信事業者網２０２に設けられる上位装置であるＭＳＣ（Mobile Switching Centre）およびＳＧＳＮ（Serving General Packet Radio Service Support Node）によって実行される。
【００９７】
これに対して、本発明の第１の実施の形態に係るネットワークシステムでは、図５において説明したように、ＮＡＳ層におけるプロトコル処理をネットワーク接続装置１０１に実装し、通常は無線端末装置１５１および移動通信事業者網２０２間で終端している位置登録手順を、無線端末装置１５１およびネットワーク接続装置１０１間で終端させる。これにより、フェムトセル側単独での無線端末装置１５１の圏外検出が可能となる。
【００９８】
図６は、本発明の第１の実施の形態に係るネットワーク接続装置における位置登録手順を示す図である。
【００９９】
図６を参照して、ＣＳ呼用の上位装置であるＭＳＣに対する位置登録として、まず、無線端末装置１５１は、ＣＳ位置登録要求であるLocation Updating Requestをネットワーク接続装置１０１へ送信する（ステップＳ１１）。
【０１００】
次に、ネットワーク接続装置１０１は、無線端末装置１５１からＣＳ位置登録要求を受信して、当該ＣＳ位置登録要求を送信してきた無線端末装置１５１の識別情報を取得する。この識別情報は、たとえば、無線端末装置１５１からのＣＳ位置登録要求に含まれる（ステップＳ１２）。
【０１０１】
次に、ネットワーク接続装置１０１は、認証要求を無線端末装置１５１へ送信する（ステップＳ１３）。
【０１０２】
次に、無線端末装置１５１は、ネットワーク接続装置１０１から認証要求を受信して、認証応答をネットワーク接続装置１０１へ送信する（ステップＳ１４）。
【０１０３】
次に、ネットワーク接続装置１０１は、無線端末装置１５１から認証応答を受信して、ＣＳ位置登録応答であるLocation Updating Acceptを無線端末装置１５１へ送信する（ステップＳ１５）。
【０１０４】
また、ＰＳ呼用の上位装置であるＳＧＳＮに対する位置登録として、まず、無線端末装置１５１は、ＰＳ位置登録要求であるRouting Updating Requestをネットワーク接続装置１０１へ送信する（ステップＳ１６）。
【０１０５】
次に、ネットワーク接続装置１０１は、無線端末装置１５１からＰＳ位置登録要求を受信して、当該ＰＳ位置登録要求を送信してきた無線端末装置１５１の識別情報を取得する。この識別情報は、たとえば、無線端末装置１５１からのＰＳ位置登録要求に含まれる（ステップＳ１７）。
【０１０６】
次に、ネットワーク接続装置１０１は、認証要求を無線端末装置１５１へ送信する（ステップＳ１８）。
【０１０７】
次に、無線端末装置１５１は、ネットワーク接続装置１０１から認証要求を受信して、認証応答をネットワーク接続装置１０１へ送信する（ステップＳ１９）。
【０１０８】
次に、ネットワーク接続装置１０１は、無線端末装置１５１から認証応答を受信して、ＰＳ位置登録応答であるRouting Updating Acceptを無線端末装置１５１へ送信する（ステップＳ２０）。
【０１０９】
図７は、本発明の第１の実施の形態に係るネットワーク接続装置におけるＣＳ呼用の位置登録要求の送信周期の一例を示す図である。
【０１１０】
３ＧＰＰでは、ＣＳ呼用の周期位置登録手順（Periodic Location Updating Procedure）で使用する周期タイマ値が報知情報で通知され、周期タイマの最小値が６分と規定されている。
【０１１１】
そこで、ネットワーク接続装置１０１は、たとえば当該最小値を周期タイマ値として報知する。これにより、無線端末装置１５１は、３ＧＰＰに従った最小の６分周期で位置登録手順を実行する。
【０１１２】
図７を参照して、まず、ネットワーク接続装置１０１は、たとえば位置登録要求の送信周期が６分であることを示す報知情報を送信する（ステップＳ２１）。
【０１１３】
次に、無線端末装置１５１は、ネットワーク接続装置１０１から受信した報知情報を参照し、ＣＳ位置登録要求を６分間隔でネットワーク接続装置１０１へ送信する（ステップＳ２２〜Ｓ２４）。
【０１１４】
図８は、本発明の第１の実施の形態に係るネットワーク接続装置におけるＰＳ呼用の位置登録要求の周期通知の一例を示す図である。
【０１１５】
また、ＰＳ呼用の位置登録手順においても、ネットワーク接続装置１０１は、周期タイマ値を無線端末装置１５１に通知する。この場合、ネットワーク接続装置１０１は、報知情報ではなく、無線端末装置１５１へ送信する位置登録完了通知またはアタッチ完了通知のメッセージのパラメータとして当該周期タイマ値を含める。
【０１１６】
３ＧＰＰでは、ＰＳ呼用の周期タイマの最小値は６分ではなく２秒と規定されている。しかしながら、ＧＭＭに関する３ＧＰＰ  ＳＰＥＣ  ＴＳ２４．００８において、当該周期タイマのデフォルト値は４分と規定されている。また、位置登録手順の処理が完了する時間およびマージンを考慮して、ＰＳ呼用の周期タイマの最小値は、数分単位としておくことが好ましい。
【０１１７】
図８を参照して、ステップＳ３１〜Ｓ３４の動作は図６に示すシーケンスにおけるステップＳ１６〜Ｓ１９の動作と同様である。
【０１１８】
ネットワーク接続装置１０１は、無線端末装置１５１から認証応答を受信して、ＰＳ位置登録応答であるRouting Updating Acceptを無線端末装置１５１へ送信する（ステップＳ３５）。このとき、ネットワーク接続装置１０１は、周期的に位置登録処理を行なうために、当該ＰＳ位置登録応答に周期タイマ値を含めて無線端末装置１５１に通知する。
【０１１９】
図９は、本発明の第１の実施の形態に係るネットワークシステムにおける離在圏検出のメッセージの流れを詳細に示す図である。ここでは、ＭＭ処理部３６が位置登録手順の一部を実行する場合について説明するが、ＧＭＭ処理部３７が同様の処理を行なってもよい。
【０１２０】
図９を参照して、まず、無線端末装置１５１は、在圏通知である位置登録要求をネットワーク接続装置１０１へ送信する（ステップＳ４１）。
【０１２１】
次に、ネットワーク接続装置１０１におけるＭＭ処理部３６は、無線端末装置１５１からの在圏通知を受けて、当該在圏通知の内容を示す受信通知をレジスタサーバ部４０へ出力する（ステップＳ４２）。
【０１２２】
次に、レジスタサーバ部４０は、ＭＭ処理部３６から受けた受信通知が示す無線端末装置１５１の識別番号と、固定網２０３から割り当てられたネットワーク接続装置１０１のＩＰアドレスとを含む登録要求を、ＳＩＰスタック部４２経由でＳＩＰサーバ３０１へ送信する（ステップＳ４３）。
【０１２３】
次に、ＳＩＰサーバ３０１は、ネットワーク接続装置１０１から登録要求を受信して、在圏通知を送信してきた無線端末装置１５１を登録すべきか否かを判定し、登録すべきであると判定した場合には当該無線端末装置１５１の識別情報を登録する。また、ＳＩＰサーバ３０１は、判定結果を示す登録応答をネットワーク接続装置１０１へ送信する（ステップＳ４４）。この登録処理により、登録された無線端末装置１５１がＩＰ電話等の通信を開始する際、ＳＩＰサーバ３０１は、登録された無線端末装置１５１の通信先アドレスを検索し、検索したアドレスをネットワーク接続装置１０１経由で無線端末装置１５１に通知する。
【０１２４】
次に、レジスタサーバ部４０は、ＳＩＰサーバ３０１からＳＩＰスタック部４２経由で登録応答を受信して、当該無線端末装置１５１がＳＩＰサーバ３０１において登録されたか否かを示す登録結果通知をＭＭ処理部３６へ出力する（ステップＳ４６）。
【０１２５】
また、レジスタサーバ部４０は、各無線端末装置１５１がＳＩＰサーバ３０１において登録されたか否かを示す登録情報を記憶しており、ＳＩＰサーバ３０１から受信した登録応答に基づいて、当該登録情報を更新する。また、レジスタサーバ部４０は、無線端末装置１５１が新規に登録されると、当該無線端末装置１５１の登録期間を設定する（ステップＳ４５）。
【０１２６】
次に、ＭＭ処理部３６は、レジスタサーバ部４０から登録結果通知を受けて、当該無線端末装置１５１の識別情報等を記憶するとともに、当該登録結果通知の内容を示す在圏応答を無線端末装置１５１へ送信する（ステップＳ４７）。
【０１２７】
また、同一の無線端末装置１５１から在圏通知が定期的に送信される場合、２回目以降の在圏通知（ステップＳ４８）については、レジスタサーバ部４０は、当該在圏通知に対応する受信通知をＭＭ処理部３６から受けて（ステップＳ４９）、登録要求をＳＩＰサーバ３０１へ送信せず、たとえば当該無線端末装置１５１が登録されていることを示す登録結果通知をＭＭ処理部３６へ出力する（ステップＳ５１）。そして、ＭＭ処理部３６は、当該登録結果通知の内容を示す在圏応答を無線端末装置１５１へ送信する（ステップＳ５２）。
【０１２８】
また、レジスタサーバ部４０は、登録された無線端末装置１５１に対応する受信通知をＭＭ処理部３６から登録期間内に受けた場合には、当該無線端末装置１５１の登録期間を再設定する（ステップＳ５０）。
【０１２９】
一方、レジスタサーバ部４０は、登録された無線端末装置１５１に対応する受信通知をＭＭ処理部３６から登録期間内に受けなかった場合には（ステップＳ５３）、当該無線端末装置１５１が離圏したと判断し、上記登録情報から当該無線端末装置１５１の登録を解除し（ステップＳ５４）、ＳＩＰサーバ３０１へ登録解除要求を送信する（ステップＳ５５）。
【０１３０】
そして、ＳＩＰサーバ３０１は、ネットワーク接続装置１０１から登録解除要求を受信して、当該無線端末装置１５１の登録を解除する。
【０１３１】
また、レジスタサーバ部４０は、当該無線端末装置１５１が離圏したことを示す離圏通知をＭＭ処理部３６へ出力する（ステップＳ５６）。そして、ＭＭ処理部３６は、記憶していた当該無線端末装置１５１の識別情報等を削除するリソース解放処理を行なう（ステップＳ５７）。
【０１３２】
図１０は、本発明の第１の実施の形態に係るネットワーク接続装置が離在圏検出を行なう際の動作手順を定めたフローチャートである。
【０１３３】
図１０を参照して、まず、離在圏判断部２２は、ある無線端末装置１５１からの在圏通知が在圏通知取得部２１によって取得されると（ステップＳ１でＹＥＳ）、当該無線端末装置１５１が自己のフェムトセルに在圏していると判断する（ステップＳ２）。すなわち、レジスタサーバ部４０は、ＭＭ処理部３６から受信通知を受けて、当該受信通知に対応する無線端末装置１５１が自己のフェムトセルに在圏していると判断する。
【０１３４】
次に、離在圏判断部２２は、各無線端末装置１５１が自己のフェムトセルに在圏しているか離圏したかを示す離在圏情報を更新する。そして、離在圏情報送信部２３は、新たに在圏した無線端末装置１５１の識別情報をＳＩＰサーバ３０１へ送信する（ステップＳ５）。
【０１３５】
次に、離在圏判断部２２は、当該無線端末装置１５１からの新たな在圏通知が在圏通知取得部２１によって取得されていない状態において（ステップＳ１でＮＯ）、当該無線端末装置１５１からの最新の在圏通知を受信してから所定時間が経過していない場合には（ステップＳ３でＮＯ）、新たな在圏通知が取得されるまで、あるいは最新の在圏通知を受信してから所定時間が経過するまで待機する。この所定時間は、図９の説明における登録期間に対応する。
【０１３６】
一方、離在圏判断部２２は、当該無線端末装置１５１からの新たな在圏通知が在圏通知取得部２１によって取得されていない状態において（ステップＳ１でＮＯ）、当該無線端末装置１５１からの最新の在圏通知を受信してから所定時間が経過した場合には（ステップＳ３でＹＥＳ）、当該無線端末装置１５１が自己のフェムトセルから離圏したと判断する（ステップＳ４）。
【０１３７】
次に、離在圏判断部２２は、この判断に基づいて離在圏情報を更新する。そして、離在圏情報送信部２３は、離圏した無線端末装置１５１の識別情報をＳＩＰサーバ３０１へ送信する（ステップＳ６）。
【０１３８】
ところで、携帯電話等の無線端末装置は、通常、移動通信事業者網における管理装置において登録処理等が行われる。そうすると、無線端末装置が通話を行なう場合、通常、ホームゲートウェイと移動通信事業者網との間で音声データを含むＩＰパケットが送受信される。このため、携帯電話等の無線端末装置に対しては、移動通信事業者網以外のネットワークに設けられたＳＩＰサーバを用いてＩＰ電話等の通信サービスを提供することが困難であった。
【０１３９】
これに対して、本発明の第１の実施の形態に係るネットワーク接続装置では、在圏通知取得部２１は、無線端末装置１５１から定期的に送信される、ネットワーク接続装置１０１と通信可能であること、および無線端末装置１５１の識別情報を示す在圏通知を無線インタフェース部１２経由で取得する。そして、離在圏判断部２２は、在圏通知取得部２１によって在圏通知が定期的に取得されるか否かに基づいて、上記識別情報を有する無線端末装置１５１が自己のネットワーク接続装置１０１を通信先として選択している状態であるか否かを判断する。
【０１４０】
このような構成により、ネットワーク接続装置１０１において無線端末装置１５１の登録処理を行なうことができるため、たとえば、固定網２０３に設けられたＳＩＰサーバ３０１を用いてＩＰ電話等の通信サービスを提供することが可能となる。
【０１４１】
したがって、本発明の第１の実施の形態に係るネットワーク接続装置では、無線端末装置についてより多様な通信サービスを提供することができる。
【０１４２】
また、あるセルに在圏している無線端末装置１５１が当該セルから離圏したことを検出するためには、移動元のセルは、移動先セル経由で当該無線端末装置１５１から在圏通知を受信した移動通信事業者網２０２から離圏通知を受信する必要がある。
【０１４３】
そして、無線端末装置１５１が、移動可能なセルが存在しないために圏外状態となるなど、何らかの要因で移動通信事業者網２０２から離圏通知を受信することができない場合、および移動通信事業者網２０２側が離圏通知をフェムトセルに通知する機能を有していない場合には、フェムトセル側において無線端末装置１５１の離在圏情報を活用した離在圏サービスを提供することが困難である。
【０１４４】
これに対して、本発明の第１の実施の形態に係るネットワーク接続装置では、無線端末装置１５１のフェムトセルからの離圏を検出するための機能を実装する。これにより、移動先セルから移動通信事業者網２０２経由で離圏通知を取得することなく、無線端末装置１５１のフェムトセルからの離圏を当該フェムトセル側単独で検出することができる。すなわち、無線端末装置１５１の移動先セルの状況および移動通信事業者網２０２側の機能実装状況に依存せず、フェムトセル側単独で離在圏サービスを提供することができる。
【０１４５】
また、本発明の第１の実施の形態に係るネットワーク接続装置では、離在圏判断部２２は、ある識別情報を有する無線端末装置１５１が自己のネットワーク接続装置１０１を通信先として選択していると判断した状態において、この識別情報を示す新たな在圏通知が所定時間取得されない場合に、当該識別情報を有する無線端末装置１５１が無線インタフェース部１２を通信先として選択しなくなったと判断する。
【０１４６】
このような構成により、自己が対応するセルに在圏していた無線端末装置１５１の離圏を適切に検出することができる。
【０１４７】
また、本発明の第１の実施の形態に係るネットワーク接続装置では、送信要求部２４は、無線端末装置１５１に在圏通知を定期的に送信させるための送信要求を無線端末装置１５１へ送信する。
【０１４８】
このような構成により、無線端末装置１５１の離在圏を判断するための定期的な在圏通知の送信を無線端末装置１５１に促すことができる。
【０１４９】
ここで、通常、無線端末装置１５１はフェムト基地局との通信中は在圏通知を送信しないが、ネットワーク接続装置１０１では、フェムト基地局のハンドオーバ動作等により、無線端末装置１５１との通信中は無線端末装置１５１の在圏および離圏を認識することが可能である。しかしながら、フェムト基地局と通信中でないアイドル状態の無線端末装置１５１については、当該無線端末装置１５１がアイドル状態で在圏しているのか、あるいは離圏したのかを判断することができない。
【０１５０】
これに対して、本発明の第１の実施の形態に係るネットワークシステムでは、在圏通知は、自己のネットワーク接続装置１０１と通信中でない無線端末装置１５１から定期的に送信される。
【０１５１】
このように、アイドル状態の無線端末装置１５１から定期的に送信される在圏通知を取得する構成により、アイドル状態の無線端末装置１５１が在圏しているか否かを判断することができる。
【０１５２】
また、通常、ＳＩＰサーバにおいて当該ホームゲートウェイを登録すれば、プライベートアドレスをホームゲートウェイが付与する等の方法により、当該ホームゲートウェイの管理する内部ネットワーク２０４に接続された端末装置のＳＩＰサーバにおける登録は不要である。このため、ホームゲートウェイからＳＩＰサーバへの登録要求は、ホームゲートウェイごとに１つ送信すれば足りる。
【０１５３】
しかしながら、無線端末装置１５１は、ユーザの移動に伴って、内部ネットワーク２０４と接続された状態および非接続の状態を遷移する。
【０１５４】
そこで、ネットワーク接続装置１０１では、離在圏情報送信部２３は、無線インタフェース部１２を通信先として選択していると離在圏判断部２２によって判断された無線端末装置１５１の識別情報等、離在圏判断部２２による判断結果をＳＩＰサーバ３０１へ送信する。すなわち、無線端末装置１５１ごとに登録要求および登録解除要求をＳＩＰサーバ３０１へ送信し、ＳＩＰサーバ３０１において各無線端末装置１５１を別個に登録する。
【０１５５】
このような構成により、フェムトセルへ在圏したり、フェムトセルから離圏したりする無線端末装置１５１の登録処理をＳＩＰサーバ３０１において適切に行なうことが可能となる。
【０１５６】
また、本発明の第１の実施の形態に係るネットワーク接続装置では、離在圏判断部２２による判断結果をＳＩＰサーバ３０１へ送信する。
【０１５７】
このような構成により、ＳＩＰサーバ３０１を用いてＩＰ電話等の通信サービスを無線端末装置１５１に提供することが可能となる。
【０１５８】
また、本発明の第１の実施の形態に係るネットワーク接続装置では、在圏通知取得部２１は、３ＧＰＰで規定されたＮＡＳ層のＭＭプロトコルまたはＧＭＭプロトコルの処理を実行することにより在圏通知を取得する。
【０１５９】
このような構成により、３ＧＰＰ仕様を採用するネットワークシステムにおいて、ネットワーク接続装置単体で離在圏サービスを提供することが可能となる。
【０１６０】
また、本発明の第１の実施の形態に係るネットワーク接続装置では、在圏通知は、３ＧＰＰで規定されたＬｏｃａｔｉｏｎ  Ｕｐｄａｔｉｎｇ  ＲｅｑｕｅｓｔまたはＲｏｕｔｉｎｇ  Ａｒｅａ  Ｕｐｄａｔｉｎｇ  Ｒｅｑｕｅｓｔである。
【０１６１】
このように、３ＧＰＰ仕様に従ったメッセージを利用する構成により、ネットワーク接続装置単体の離在圏サービスを容易に提供することができる。
【０１６２】
また、本発明の第１の実施の形態に係るネットワーク接続装置では、在圏通知は、３ＧＰＰで規定されたＬｏｃａｔｉｏｎ  Ｕｐｄａｔｉｎｇ  Ｒｅｑｕｅｓｔの最小送信間隔で無線端末装置１５１から送信される。
【０１６３】
このように、３ＧＰＰで規定された最小間隔で在圏通知を送信する構成により、３ＧＰＰ仕様に従った範囲で最良の離在圏サービスを提供することが可能となる。
【０１６４】
また、本発明の第１の実施の形態に係るネットワーク接続装置は、フェムト基地局を備える。
【０１６５】
このように、マクロ基地局と比べて形成するセルが狭く、宅内に設置される場合が多いフェムト基地局と、ホームゲートウェイとを統合する構成により、統合効果の高いネットワーク接続装置を提供することができる。
【０１６６】
なお、本発明の第１の実施の形態に係るネットワーク接続装置では、離在圏判断部２２による判断結果をＳＩＰサーバ３０１へ送信する構成であるとしたが、これに限定するものではない。ＳＩＰサーバ３０１への無線端末装置１５１の登録要求および登録解除要求等を行なわない構成であっても、ネットワーク接続装置１０１において無線端末装置１５１の離在圏を検出し、当該無線端末装置１５１の離在圏状況の表示およびユーザへの電子メールによる通知等、種々のサービスを提供することが可能となる。たとえば、子供が家にいるかいないかを親に通知するサービス等を、ネットワーク接続装置１０１単体で提供することができる。
【０１６７】
また、離在圏判断部２２は、無線端末装置１５１から在圏通知が定期的に送信されているか否かに基づいて、当該無線端末装置１５１の離在圏を判断する構成であるとしたが、この「定期的」とは、在圏通知の送信間隔が一定である場合に限らず、周期的な複数の期間の各期間中における任意のタイミングで、在圏通知が送信される場合も含まれる。
【０１６８】
また、本発明の第１の実施の形態に係るネットワーク接続装置は、フェムト基地局としての機能を有し、無線端末装置１５１からの在圏通知を無線信号によって直接受信し、かつ在圏応答を無線端末装置１５１へ直接送信する構成であるとしたが、これに限定するものではない。フェムト基地局がネットワーク接続装置１０１とは別個に設けられ、ネットワーク接続装置１０１がＳＩＰサーバ３０１とフェムト基地局との間でデータを中継する構成であってもよい。この場合、ネットワーク接続装置１０１は、フェムト基地局経由で在圏通知の受信および在圏応答の送信を行なう。
【０１６９】
また、本発明の第１の実施の形態では、３ＧＰＰ仕様に基づいた動作を例示して説明したが、３ＧＰＰ仕様に基づかない動作を行なう構成であってもよい。たとえば、３ＧＰＰでは規定されていない周期および手順を採用してもよい。具体的には、ＣＳ位置登録要求の送信周期を６分ではなくたとえば１分単位で制御可能な構成としてもよい。
【０１７０】
次に、本発明の他の実施の形態について図面を用いて説明する。なお、図中同一または相当部分には同一符号を付してその説明は繰り返さない。
【０１７１】
＜第２の実施の形態＞
本実施の形態は、第１の実施の形態に係るネットワーク接続装置と比べてＶＬＲ（Visited Location Register）機能を追加したネットワーク接続装置に関する。以下で説明する内容以外は第１の実施の形態に係るネットワーク接続装置と同様である。
【０１７２】
図１１は、本発明の第２の実施の形態に係るネットワーク接続装置の通信プロトコル構成の一例を示す図である。
【０１７３】
図１１を参照して、ネットワーク接続装置１０２は、本発明の第１の実施の形態に係るネットワーク接続装置と比べて、さらに、ＶＬＲ部５３を備える。
【０１７４】
ＶＬＲ部５３は、３ＧＰＰで規定されたＶＬＲを有する。このＶＬＲには、ＭＭ処理部３６によって取得された在圏通知に含まれる情報が少なくとも保存される。
【０１７５】
ＭＭ処理部３６およびレジスタサーバ部４０は、ＶＬＲ部５３を介して互いに情報をやり取りする。
【０１７６】
図１２は、本発明の第２の実施の形態に係るネットワークシステムにおける離在圏検出のメッセージの流れを詳細に示す図である。ここでは、ＭＭ処理部３６が位置登録手順の一部を実行する場合について説明するが、ＧＭＭ処理部３７が同様の処理を行なってもよい。
【０１７７】
図１２を参照して、まず、無線端末装置１５１は、在圏通知である位置登録要求をネットワーク接続装置１０２へ送信する（ステップＳ６１）。
【０１７８】
次に、ネットワーク接続装置１０２におけるＭＭ処理部３６は、無線端末装置１５１からの在圏通知を受けて、当該在圏通知の内容を示す受信通知をＶＬＲ部５３経由でレジスタサーバ部４０へ出力する（ステップＳ６２）。
【０１７９】
次に、レジスタサーバ部４０は、ＶＬＲ部５３経由でＭＭ処理部３６から受けた受信通知が示す無線端末装置１５１の識別番号と、固定網２０３から割り当てられたネットワーク接続装置１０２のＩＰアドレスとを含む登録要求を、ＳＩＰスタック部４２経由でＳＩＰサーバ３０１へ送信する（ステップＳ６３）。
【０１８０】
次に、ＳＩＰサーバ３０１は、ネットワーク接続装置１０２から登録要求を受信して、在圏通知を送信してきた無線端末装置１５１を登録すべきか否かを判定し、登録すべきであると判定した場合には当該無線端末装置１５１の識別情報を登録する。また、ＳＩＰサーバ３０１は、判定結果を示す登録応答をネットワーク接続装置１０２へ送信する（ステップＳ６４）。この登録処理により、登録された無線端末装置１５１がＩＰ電話等の通信を開始する際、ＳＩＰサーバ３０１は、登録された無線端末装置１５１の通信先アドレスを検索し、検索したアドレスをネットワーク接続装置１０２経由で無線端末装置１５１に通知する。
【０１８１】
次に、レジスタサーバ部４０は、ＳＩＰサーバ３０１からＳＩＰスタック部４２経由で登録応答を受信して、当該無線端末装置１５１がＳＩＰサーバ３０１において登録されたか否かを示す登録結果通知をＶＬＲ部５３経由でＭＭ処理部３６へ出力する（ステップＳ６６）。
【０１８２】
また、レジスタサーバ部４０は、各無線端末装置１５１がＳＩＰサーバ３０１において登録されたか否かを示す登録情報をＶＬＲ部５３に保存しており、ＳＩＰサーバ３０１から受信した登録応答に基づいて、当該登録情報を更新する。また、レジスタサーバ部４０は、無線端末装置１５１が新規に登録されると、当該無線端末装置１５１の登録期間を設定する（ステップＳ６５）。
【０１８３】
次に、ＭＭ処理部３６は、ＶＬＲ部５３経由でレジスタサーバ部４０から登録結果通知を受けて、当該無線端末装置１５１の識別情報等をＶＬＲ部５３に保存するとともに、当該登録結果通知の内容を示す在圏応答を無線端末装置１５１へ送信する（ステップＳ６７）。
【０１８４】
また、同一の無線端末装置１５１から在圏通知が定期的に送信される場合、２回目以降の在圏通知（ステップＳ６８）については、レジスタサーバ部４０は、当該在圏通知に対応する受信通知をＶＬＲ部５３経由でＭＭ処理部３６から受けて（ステップＳ６９）、登録要求をＳＩＰサーバ３０１へ送信せず、たとえば当該無線端末装置１５１が登録されていることを示す登録結果通知をＶＬＲ部５３経由でＭＭ処理部３６へ出力する（ステップＳ７１）。そして、ＭＭ処理部３６は、当該登録結果通知の内容を示す在圏応答を無線端末装置１５１へ送信する（ステップＳ７２）。
【０１８５】
また、レジスタサーバ部４０は、登録された無線端末装置１５１に対応する受信通知をＭＭ処理部３６から登録期間内に受けた場合には、当該無線端末装置１５１の登録期間を再設定する（ステップＳ７０）。
【０１８６】
一方、レジスタサーバ部４０は、登録された無線端末装置１５１に対応する受信通知をＭＭ処理部３６から登録期間内に受けなかった場合には（ステップＳ７３）、当該無線端末装置１５１が離圏したと判断し、上記登録情報から当該無線端末装置１５１の登録を解除し（ステップＳ７４）、ＳＩＰサーバ３０１へ登録解除要求を送信する（ステップＳ７５）。
【０１８７】
そして、ＳＩＰサーバ３０１は、ネットワーク接続装置１０２から登録解除要求を受信して、当該無線端末装置１５１の登録を解除する。
【０１８８】
また、レジスタサーバ部４０は、当該無線端末装置１５１が離圏したことを示す離圏通知をＶＬＲ部５３経由でＭＭ処理部３６へ出力する（ステップＳ７６）。そして、ＭＭ処理部３６は、ＶＬＲ部５３に保存していた当該無線端末装置１５１の識別情報等を削除するリソース解放処理を行なう（ステップＳ７７）。は、レジスタサーバ部４０は、ＳＩＰサーバ３０１との間で各種端末装置の登録に関する通信データを送受信する。
【０１８９】
このように、本発明の第２の実施の形態に係るネットワーク接続装置では、ＶＬＲ部５３は、３ＧＰＰで規定されたＶＬＲを有する。このＶＬＲには、在圏通知取得部２１すなわちＭＭ処理部３６によって取得された在圏通知に含まれる情報が少なくとも保存される。そして、在圏通知取得部２１であるＭＭ処理部３６、および離在圏判断部２２であるレジスタサーバ部４０は、ＶＬＲ部５３を介して互いに情報をやり取りする。
【０１９０】
このような構成により、３ＧＰＰで規定されたＶＬＲを用いた無線端末装置１５１の管理が可能となる。
【０１９１】
その他の構成および動作は第１の実施の形態に係るネットワーク接続装置と同様であるため、ここでは詳細な説明を繰り返さない。
【０１９２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１９３】
１１  ネットワーク制御部
１２  無線インタフェース部
１３  有線インタフェース部
２１  在圏通知取得部
２２  離在圏判断部
２３  離在圏情報送信部
３１  ＰＨＹ層処理部
３２  ＭＡＣ層処理部
３３  ＲＬＣ層処理部
３４  ＲＲＣ層処理部
３５  ＰＤＣＰ層処理部
３６  ＭＭ処理部
３７  ＧＭＭ処理部
３８  ＣＣ処理部
３９  ＳＭ処理部
４０  レジスタサーバ部
４１  ＳＩＰ呼制御部
５１  ＮＡＳ層処理部
５２  Ｂ２ＢＵＡ部
５３  ＶＬＲ部
９１  アンテナ
９２  サーキュレータ
９３  無線受信部
９４  無線送信部
９５  信号処理部
９６  受信信号処理部
９７  送信信号処理部
１０１，１０２  ネットワーク接続装置
１５１  無線端末装置
１５２  パーソナルコンピュータ
１５３  セットトップボックス
２０２  移動通信事業者網
２０３  固定網
２０４  内部ネットワーク
３０１  ＳＩＰサーバ（管理装置）
３０２  サーバ
４０１  ネットワークシステム
【図１】
2012114635.tif 000003
【図２】
2012114635.tif 000004
【図３】
2012114635.tif 000005
【図４】
2012114635.tif 000006
【図５】
2012114635.tif 000007
【図６】
2012114635.tif 000008
【図７】
2012114635.tif 000009
【図８】
2012114635.tif 000010
【図９】
2012114635.tif 000011
【図１０】
2012114635.tif 000012
【図１１】
2012114635.tif 000013
【図１２】
2012114635.tif 000014